(57)【要約】【課題】光源の前方に２つの透光板が前後２重に配置された灯具において、灯具点灯時に奥行き感のある意匠を演出する。【解決手段】後方側に位置する第１透光板３２の一部領域を、第１光源２２からの光を灯具正面方向へ向けて偏向出射させるための複数のレンズ素子３２Ａｓが形成された第１レンズ領域３２Ａとして構成し、前方側に位置する第２透光板３４の一部領域を、第２光源２４からの光を灯具正面方向へ向けて偏向出射させるための複数のレンズ素子３４Ａｓが形成された第２レンズ領域３４Ａとして構成する。そして、第１および第２レンズ領域３２Ａ、３４Ａを灯具正面視において部分的に重複する位置関係で配置する。これにより、第１および第２光源２２、２４の点灯時、第１および第２レンズ領域３２Ａ、３４Ａの重複していない部分が前後方向に離れた位置においてそれぞれ明るく光って見えるとともに重複している部分が２重に光って見えるようにする。【選択図】図４
2019016485.tif 000002
【特許請求の範囲】
【請求項１】
第１および第２光源と、これら第１および第２光源の前方に配置された第１透光板と、この第１透光板の前方に配置された第２透光板と、を備えた灯具において、
上記第１透光板の一部領域は、上記第１光源からの光を所要方向へ向けて偏向出射させるための複数のレンズ素子が形成された第１レンズ領域として構成されており、
上記第２透光板の一部領域は、上記第２光源からの光を上記所要方向へ向けて偏向出射させるための複数のレンズ素子が形成された第２レンズ領域として構成されており、
上記第１および第２レンズ領域は、上記所要方向から見た状態において部分的に重複する位置関係で配置されている、ことを特徴とする灯具。
【請求項２】
上記第１レンズ領域を構成する複数のレンズ素子のうち上記第２レンズ領域へ向かう上記第２光源からの光の光路上に位置する少なくとも１つのレンズ素子に、該レンズ素子に到達した上記第２光源からの光を偏向させることなく透過させる素通し部が形成されている、ことを特徴とする請求項１記載の灯具。
【請求項３】
上記第１レンズ領域は、互いに異なる方向に延びる複数の帯状領域を備えており、
上記第２レンズ領域は、上記第１レンズ領域とは異なるパターンで互いに異なる方向に延びる複数の帯状領域を備えている、ことを特徴とする請求項１または２記載の灯具。
【請求項４】
上記第１レンズ領域を構成する複数の帯状領域は、上記所要方向から見た状態において上記第１光源を中心として放射状に延びるように形成されており、
上記第２レンズ領域を構成する複数の帯状領域は、上記所要方向から見た状態において上記第２光源を中心として放射状に延びるように形成されている、ことを特徴とする請求項３記載の灯具。
【請求項５】
上記第２透光板よりも前方側に、上記所要方向から見た状態において上記第１および第２レンズ領域以外の領域を覆う遮光部材が配置されている、ことを特徴とする請求項１〜４いずれか記載の灯具。
【発明の詳細な説明】
【技術分野】
【０００１】
本願発明は、光源の前方に２つの透光板が前後２重に配置された灯具に関するものである。
【背景技術】
【０００２】
従来より、例えば「特許文献１」や「特許文献２」に記載されているように、光源の前方に２つの透光板が前後２重に配置された灯具が知られている。
【０００３】
「特許文献１」に記載された灯具は、後方側に位置する透光板の前後両面に複数のレンズ素子が形成されており、これにより光源からの光を所要方向へ向けて偏向出射させる構成となっている。
【０００４】
一方「特許文献２」に記載された灯具は、前後２重に配置された２つの透光板の各々に複数のレンズ素子が形成された構成となっている。
【先行技術文献】
【特許文献】
【０００５】
【特許文献１】特開昭６１−１５３９０１号公報
【特許文献２】実開平６−５６９０３号公報
【発明の概要】
【発明が解決しようとする課題】
【０００６】
上記「特許文献１」に記載された灯具構成を採用することにより、所要方向へ向かう照射光を得ることができる。
【０００７】
しかしながら、上記「特許文献１」に記載された灯具は、前方側に位置する透光板が素通し状に形成されているので、点灯状態にある灯具を上記所要方向から観察したとき、後方側に位置する透光板のみが明るく光って見えることとなる。このため、２つの透光板が前後２重に配置されているにもかかわらず、灯具点灯時に奥行き感のある意匠を演出することが困難である。
【０００８】
これに対し、上記「特許文献２」に記載された構成を上記「特許文献１」に記載された灯具に適用すれば、点灯状態にある灯具を上記所要方向から観察したとき、２つの透光板が２重に光って見えるようにすることができる。
【０００９】
しかしながら、上記「特許文献２」に記載された灯具においては、各透光板の全領域に複数のレンズ素子が形成されているので、灯具点灯時に奥行き感のある意匠を演出することがやはり困難である。
【００１０】
本願発明は、このような事情に鑑みてなされたものであって、光源の前方に２つの透光板が前後２重に配置された灯具において、灯具点灯時に奥行き感のある意匠を演出することができる灯具を提供することを目的とするものである。
【課題を解決するための手段】
【００１１】
本願発明は、２つの光源を備えた構成とした上で、前後２重に配置された透光板の構成に工夫を施すことにより、上記目的達成を図るようにしたものである。
【００１２】
すなわち、本願発明に係る灯具は、
第１および第２光源と、これら第１および第２光源の前方に配置された第１透光板と、この第１透光板の前方に配置された第２透光板と、を備えた灯具において、
上記第１透光板の一部領域は、上記第１光源からの光を所要方向へ向けて偏向出射させるための複数のレンズ素子が形成された第１レンズ領域として構成されており、
上記第２透光板の一部領域は、上記第２光源からの光を上記所要方向へ向けて偏向出射させるための複数のレンズ素子が形成された第２レンズ領域として構成されており、
上記第１および第２レンズ領域は、上記所要方向から見た状態において部分的に重複する位置関係で配置されている、ことを特徴とするものである。
【００１３】
上記「第１および第２光源」の種類は特に限定されるものではなく、例えば、発光ダイオードやレーザダイオード等の発光素子あるいは光源バルブ等が採用可能である。
【００１４】
上記「所要方向」は、第１および第２光源からの光が第１および第２透光板から出射し得る方向であれば、特定の方向に限定されるものではない。
【００１５】
上記「第１透光板」において「第１レンズ領域」として構成された一部領域の具体的な配置や形状は特に限定されるものではない。
【００１６】
上記「第２透光板」において「第２レンズ領域」として構成された一部領域は、上記所要方向から見た状態において「第１レンズ領域」と部分的に重複していれば、その具体的な配置や形状は特に限定されるものではない。
【発明の効果】
【００１７】
本願発明に係る灯具は、第１および第２光源の前方に第１および第２透光板が前後２重に配置された構成となっているが、後方側に位置する第１透光板の一部領域は第１光源からの光を所要方向へ向けて偏向出射させるための複数のレンズ素子が形成された第１レンズ領域として構成されており、また、前方側に位置する第２透光板の一部領域は第２光源からの光を上記所要方向へ向けて偏向出射させるための複数のレンズ素子が形成された第２レンズ領域として構成されており、そして、第１および第２レンズ領域は上記所要方向から見た状態において部分的に重複する位置関係で配置されているので、次のような作用効果を得ることができる。
【００１８】
すなわち、灯具を上記所要方向から観察したとき、第１光源の点灯により第１透光板の第１レンズ領域が光って見えるようにすることができるとともに、第２光源の点灯により第２透光板の第２レンズ領域が光って見えるようにすることができる。その際、第１および第２レンズ領域は、重複していない部分が前後方向に離れた位置においてそれぞれ明るく光って見えるとともに重複している部分が２重に光って見えるので、灯具点灯時に奥行き感のある意匠を演出することができる。
【００１９】
このように本願発明によれば、光源の前方に２つの透光板が前後２重に配置された灯具において、灯具点灯時に奥行き感のある意匠を演出することができる。また本願発明のように、第１および第２レンズ領域が部分的に重複している構成とすることにより、灯具非点灯時においても奥行き感のある意匠を演出することができる。
【００２０】
上記構成において、第１レンズ領域を構成する複数のレンズ素子のうち第２レンズ領域へ向かう第２光源からの光の光路上に位置する少なくとも１つのレンズ素子に、該レンズ素子に到達した第２光源からの光を偏向させることなく透過させる素通し部が形成された構成とすれば、次のような作用効果を得ることができる。
【００２１】
すなわち、第１および第２レンズ領域は上記所要方向から見た状態において部分的に重複する位置関係で配置されているので、第２レンズ領域へ向かう第２光源からの光の光路上に第１レンズ領域の一部が位置することとなる。
【００２２】
このため、第２レンズ領域へ向かう第２光源からの光は、その光路上に位置する第１レンズ領域を構成するレンズ素子によって上記所要方向とは異なる方向へ出射してしまうこととなる。
【００２３】
そこで、第１レンズ領域を構成する複数のレンズ素子のうち第２レンズ領域へ向かう第２光源からの光の光路上に位置する少なくとも１つのレンズ素子に素通し部が形成された構成とすることにより、この素通し部を透過した光については第２レンズ領域へ到達させて該第２レンズ領域から上記所要方向へ出射させることができる。そしてこれにより、第２レンズ領域において第２光源から見たとき第１レンズ領域の陰になってしまう部分についても上記所要方向から見たときに光って見えるようにすることができ、これにより灯具点灯時の見映えを一層向上させることができる。
【００２４】
上記構成において、第１レンズ領域として互いに異なる方向に延びる複数の帯状領域を備えた構成とするとともに、第２レンズ領域として第１レンズ領域とは異なるパターンで互いに異なる方向に延びる複数の帯状領域を備えた構成とすれば、第１および第２レンズ領域が重複する部分を、その帯状領域同士の立体交差部として複数箇所に設けることができる。そしてこれにより、灯具点灯時および灯具非点灯時に奥行き感のある意匠を演出することが一層容易に可能となる。
【００２５】
その際、第１レンズ領域を構成する複数の帯状領域が、上記所要方向から見た状態において第１光源を中心として放射状に延びるように形成されるとともに、第２レンズ領域を構成する複数の帯状領域が、上記所要方向から見た状態において第２光源を中心として放射状に延びるように形成された構成とすれば、第１および第２レンズ領域をそれぞれ略均一な明るさで光らせることができる。
【００２６】
また、このような構成を採用することにより、灯具を上記所要方向から観察したとき第１および第２光源が直接見えてしまわないようにすることができ、これにより灯具点灯時および灯具非点灯時の見映えをより一層向上させることができる。
【００２７】
上記構成において、第２透光板よりも前方側に、上記所要方向から見た状態において第１および第２レンズ領域以外の領域を覆う遮光部材が配置された構成とすれば、灯具を上記所要方向から観察したとき第１および第２レンズ領域のみが光って見えるようにすることができ、これにより灯具点灯時の見映えをより一層向上させることができる。
【００２８】
その際、上記「遮光部材」の具体的な構成は特に限定されるものではなく、例えば、第２透光板の前面に施された遮光膜や第２透光板から前方に離れた位置に配置された別部材等によって構成されたものとすることが可能である。
【図面の簡単な説明】
【００２９】
【図１】本願発明の一実施形態に係る灯具を示す正面図
【図２】図１のII−II線断面図
【図３】上記灯具の主要構成要素を分解して示す正面図
【図４】上記灯具を点灯状態で示す正面図
【図５】上記実施形態の第１変形例の要部を図１のＶ−Ｖ線の位置で示す断面図
【図６】上記実施形態の第２変形例を示す正面図
【図７】上記実施形態の第３変形例を示す正面図
【図８】上記実施形態の第４変形例を示す正面図
【図９】上記第４変形例に係る灯具の主要構成要素を分解して示す正面図
【図１０】上記第４変形例に係る灯具を点灯状態で示す正面図
【発明を実施するための形態】
【００３０】
以下、図面を用いて、本願発明の実施の形態について説明する。
【００３１】
図１は、本願発明の本実施形態に係る灯具１０を示す正面図である。また、図２は、図１のII−II線断面図である。
【００３２】
これらの図に示すように、本実施形態に係る灯具１０は、車両後部に配置されるテールランプであって、ランプボディ１２と素通し状の透光カバー１４とで形成される灯室内に、第１および第２光源２２、２４と、これら第１および第２光源２２、２４の前方に配置された第１透光板３２と、この第１透光板３２の前方に配置された第２透光板３４とが収容された構成となっている。
【００３３】
第１および第２光源２２、２４は、いずれも赤色発光ダイオードであって、車幅方向に間隔をおいて配置されている。これら第１および第２光源２２、２４は、その発光面を灯具正面方向（車両としては後方）へ向けた状態で共通の基板２６に搭載されている。この基板２６はランプボディ１２に支持されている。
【００３４】
第１および第２透光板３２、３４は、いずれも薄板状の透明樹脂部材であって、灯具正面視（すなわち車両後方から見た状態）において同一サイズの横長矩形状の外形形状を有している。そして、これら第１および第２透光板３２、３４は、灯具前後方向と直交する鉛直面に沿って配置された状態でランプボディ１２に支持されている。
【００３５】
その際、第１透光板３２は、その後面外周縁部においてランプボディ１２に支持されており、第２透光板３４は、その後面外周縁部において横長矩形状の開口形状を有する筒状のスペーサ１６を介して第１透光板３２に支持されている。さらに、第２透光板３４の前面外周縁部には、ランプボディ１２に支持されたフレーム部材１８が当接しており、これにより第１および第２透光板３２、３４を位置決めするようになっている。フレーム部材１８は、第１および第２透光板３２、３４の外形形状よりもひと回り小さい横長矩形状の開口形状を有している。
【００３６】
図３は、灯具１０の主要構成要素を分解して示す正面図であって、同図（ａ）は第１透光板３２、同図（ｂ）は第２透光板３４、同図（ｃ）は第１および第２光源２２、２４を基板２６に搭載された状態で示す図である。
【００３７】
同図にも示すように、第１および第２光源２２、２４の各々の発光中心を通るようにして灯具前後方向に延びる光軸Ａｘ１、Ａｘ２は、第１および第２透光板３２、３４の各々の中心位置に関して左右対称の位置関係で配置されている。
【００３８】
第１透光板３２は、その一部領域が第１レンズ領域３２Ａとして構成されており、それ以外の領域は素通し領域として構成されている。
【００３９】
具体的には、この第１透光板３２の前面は平面状に形成されており、その後面に第１レンズ領域３２Ａが形成されている。この第１レンズ領域３２Ａは、第１光源２２からの光を灯具正面方向（すなわち車両後方）へ向けて偏向出射させるための複数のレンズ素子３２Ａｓが形成された構成となっている。
【００４０】
第１レンズ領域３２Ａは、互いに異なる方向に延びる４つの帯状領域３２Ａ１、３２Ａ２、３２Ａ３、３２Ａ４を備えている。
【００４１】
これら４つの帯状領域３２Ａ１〜３２Ａ４は、灯具正面視において第１光源２２の光軸Ａｘ１を中心として放射状に延びるように形成されている。その際、帯状領域３２Ａ１は鉛直方向に延びており、残り３つの帯状領域３２Ａ２、３２Ａ３、３２Ａ４は灯具正面視において鉛直方向から時計回りにそれぞれ４５°程度、１０５°程度、１５０°程度回転した方向に延びている。各帯状領域３２Ａ１〜３２Ａ４は、第１透光板３２の外周縁近傍まで延びるように形成されている。
【００４２】
複数のレンズ素子３２Ａｓは、各帯状領域３２Ａ１〜３２Ａ４において光軸Ａｘ１を中心にして径方向に等間隔で連続的に形成されている。これら複数のレンズ素子３２Ａｓは、第１光源２２からの光を灯具正面方向へ向けて偏向出射させるためフレネルレンズ状に形成されている。すなわち、各レンズ素子３２Ａｓは、光軸Ａｘ１に関して径方向の断面形状が略楔形に設定されており、かつ、光軸Ａｘ１から離れるに従って段差が次第に大きくなっている。
【００４３】
一方、第２透光板３４は、その一部領域が第２レンズ領域３４Ａとして構成されており、それ以外の領域は素通し領域として構成されている。
【００４４】
具体的には、この第２透光板３４の前面は平面状に形成されており、その後面に第２レンズ領域３４Ａが形成されている。この第２レンズ領域３４Ａは、第２光源２４からの光を灯具正面方向へ向けて偏向出射させるための複数のレンズ素子３４Ａｓが形成された構成となっている。
【００４５】
第２レンズ領域３４Ａは、互いに異なる方向に延びる４つの帯状領域３４Ａ１、３４Ａ２、３４Ａ３、３４Ａ４を備えている。
【００４６】
これら４つの帯状領域３４Ａ１〜３４Ａ４は、灯具正面視において第２光源２４の光軸Ａｘ２を中心として放射状に延びるように形成されている。その際、４つの帯状領域３４Ａ１〜３４Ａ４は、第１透光板３２の第１レンズ領域３２Ａを構成する４つの帯状領域３２Ａ１〜３２Ａ４を左右反転させたパターンで形成されている。そして、各帯状領域３４Ａ１〜３４Ａ４を構成する複数のレンズ素子３４Ａｓは、第１透光板３２の各帯状領域３２Ａ１〜３２Ａ４を構成する複数のレンズ素子３２Ａｓと同一の断面形状を有している。
【００４７】
図４は、灯具１０を点灯状態で示す正面図である。
【００４８】
同図に示すように、灯具１０を灯具正面方向から観察したとき、第１光源２２の点灯により第１透光板３２の第１レンズ領域３２Ａが光って見え、また、第２光源２４の点灯により第２透光板３４の第２レンズ領域３４Ａが光って見える。その際、第１および第２レンズ領域３２Ａ、３４Ａは、重複していない部分が前後方向に離れた位置においてそれぞれ明るく光って見え、また、重複している部分が２重に光って見える。
【００４９】
第１レンズ領域３２Ａは、これを構成する４つの帯状領域３２Ａ１〜３２Ａ４が、灯具正面視において第１光源２２を中心として放射状に延びるように形成されているので、第１レンズ領域３２Ａは略均一な明るさで光って見える。また、第２レンズ領域３４Ａも、これを構成する４つの帯状領域３４Ａ１〜３４Ａ４が、灯具正面視において第２光源２４を中心として放射状に延びるように形成されているので、第２レンズ領域３４Ａは略均一な明るさで光って見える。
【００５０】
そして、これら前後２重に配置された第１および第２透光板３２、３４においては、第１レンズ領域３２Ａを構成する４つの帯状領域３２Ａ１〜３２Ａ４と第２レンズ領域３２Ａ、３４Ａを構成する４つの帯状領域３４Ａ１〜３４Ａ４とが、左右対称のパターンで放射状に形成されており、その重複部分が帯状領域同士の立体交差部として複数箇所（具体的には８箇所）に設けられているので、灯具点灯時および灯具非点灯時に奥行き感のある意匠が演出される。
【００５１】
次に、本実施形態の作用効果について説明する。
【００５２】
本実施形態に係る灯具１０は、第１および第２光源２２、２４の前方に第１および第２透光板３２、３４が前後２重に配置された構成となっているが、後方側に位置する第１透光板３２の一部領域は第１光源２２からの光を灯具正面方向（所要方向）へ向けて偏向出射させるための複数のレンズ素子３２Ａｓが形成された第１レンズ領域３２Ａとして構成されており、また、前方側に位置する第２透光板３４の一部領域は第２光源２４からの光を上記所要方向へ向けて偏向出射させるための複数のレンズ素子３４Ａｓが形成された第２レンズ領域３４Ａとして構成されており、そして、第１および第２レンズ領域３２Ａ、３４Ａは灯具正面視において部分的に重複する位置関係で配置されているので、次のような作用効果を得ることができる。
【００５３】
すなわち、灯具１０を灯具正面方向から観察したとき、第１光源２２の点灯により第１透光板３２の第１レンズ領域３２Ａが光って見えるようにすることができるとともに、第２光源２４の点灯により第２透光板３４の第２レンズ領域３４Ａが光って見えるようにすることができる。その際、第１および第２レンズ領域３２Ａ、３４Ａは、重複していない部分が前後方向に離れた位置においてそれぞれ明るく光って見えるとともに重複している部分が２重に光って見えるので、灯具点灯時に奥行き感のある意匠を演出することができる。
【００５４】
このように本実施形態によれば、第１および第２光源２２、２４の前方に第１および第２透光板３２、３４が前後２重に配置された灯具１０において、灯具点灯時に奥行き感のある意匠を演出することができる。
【００５５】
また本実施形態のように、第１および第２レンズ領域３２Ａ、３４Ａが部分的に重複している構成とすることにより、灯具非点灯時においても奥行き感のある意匠を演出することができる。
【００５６】
しかも本実施形態においては、第１透光板３２が、その第１レンズ領域３２Ａとして互いに異なる方向に延びる４つの帯状領域３２Ａ１〜３２Ａ４を備えており、また、第２透光板３４が、その第２レンズ領域３４Ａとして第１レンズ領域３２Ａとは異なるパターンで互いに異なる方向に延びる４つの帯状領域３４Ａ１〜３４Ａ４を備えているので、第１および第２レンズ領域３２Ａ、３４Ａが重複する部分を、その帯状領域３２Ａ１〜３２Ａ４、３４Ａ１〜３４Ａ４同士の立体交差部として複数箇所に設けることができる。そしてこれにより、灯具点灯時に奥行き感のある意匠を演出することが一層容易に可能となる。
【００５７】
その際、第１レンズ領域３２Ａを構成する４つの帯状領域３２Ａ１〜３２Ａ４は、灯具正面視において第１光源２２を中心として放射状に延びるように形成されており、また、第２レンズ領域３４Ａを構成する４つの帯状領域３４Ａ１〜３４Ａ４は、灯具正面視において第２光源２４を中心として放射状に延びるように形成されているので、第１および第２レンズ領域３２Ａ、３４Ａをそれぞれ略均一な明るさで光らせることができる。
【００５８】
また、このような構成を採用することにより、灯具１０を灯具正面方向から観察したとき第１および第２光源２２、２４が直接見えてしまわないようにすることができ、これにより灯具点灯時および灯具非点灯時の見映えをより一層向上させることができる。
【００５９】
上記実施形態においては、第１レンズ領域３２Ａを構成する４つの帯状領域３２Ａ１〜３２Ａ４と第２レンズ領域３４Ａを構成する４つの帯状領域３４Ａ１〜３４Ａ４とが左右対称のパターンで形成されているものとして説明したが、両者が左右非対称のパターンで形成された構成とすることも可能である。
【００６０】
上記実施形態においては、第１および第２レンズ領域３２Ａ、３４Ａがそれぞれ４つの帯状領域３２Ａ１〜３２Ａ４、３４Ａ１〜３４Ａ４を備えているものとして説明したが、３つ以下または５つ以上の帯状領域を備えた構成とすることも可能である。
【００６１】
上記実施形態においては、灯具１０がテールランプである場合について説明したが、車両に設けられる箇所や機能にかかわらず、上記実施形態と同様の構成を採用することにより上記実施形態と同様の作用効果を得ることができる。また、灯具１０を車両用灯具以外の用途に用いることも可能である。
【００６２】
次に、上記実施形態の変形例について説明する。
【００６３】
まず、上記実施形態の第１変形例について説明する。
【００６４】
図５は、本変形例に係る灯具の要部を図１のＶ−Ｖ線の位置で示す断面図である。
【００６５】
同図に示すように、本変形例の基本的な構成は上記実施形態の場合と同様であるが、第１透光板１３２における第１レンズ領域１３２Ａの構成が上記実施形態の場合と一部異なっている。
【００６６】
すなわち、本変形例の第１透光板１３２は、その第１レンズ領域１３２Ａを構成する複数のレンズ素子１３２Ａｓのうち、第２透光板１３４の第２レンズ領域１３４Ａへ向かう第２光源２４からの光の光路上に位置する少なくとも１つのレンズ素子１３２Ａｓに、該レンズ素子１３２Ａｓに到達した第２光源２４からの光を偏向させることなく透過させる素通し部１３２Ａｓ１が形成された構成となっている。
【００６７】
具体的には、第２レンズ領域１３４Ａの帯状領域１３４Ａ３へ向かう第２光源２４からの光の光路上に位置する第１レンズ領域１３２Ａの帯状領域１３２Ａ３に関しては、２つのレンズ素子１３２Ａｓに対して素通し部１３２Ａｓ１がそれぞれ部分的に形成された構成となっている。
【００６８】
本変形例の構成を採用することにより、次のような作用効果を得ることができる。
【００６９】
すなわち、第１および第２レンズ領域１３２Ａ、１３４Ａは灯具正面視において部分的に重複する位置関係で配置されているので、第２レンズ領域１３４Ａへ向かう第２光源２４からの光の光路上に第１レンズ領域１３２Ａの一部が位置することとなる。
【００７０】
このため、仮にレンズ素子１３２Ａｓに素通し部１３２Ａｓ１が形成されていないとした場合には、図中２点鎖線で示すように、第２レンズ領域１３４Ａへ向かう第２光源２４からの光は、その光路上に位置する第１レンズ領域１３２Ａを構成するレンズ素子１３２Ａｓによって灯具正面方向とは異なる方向へ出射してしまうこととなる。
【００７１】
本変形例においては、第１レンズ領域１３２Ａを構成する複数のレンズ素子１３２Ａｓのうち、第２レンズ領域１３４Ａへ向かう第２光源２４からの光の光路上に位置する２つのレンズ素子１３２Ａｓに素通し部１３２Ａｓ１が形成されているので、この素通し部１３２Ａｓ１を透過した光については第２レンズ領域１３４Ａへ到達させて該第２レンズ領域１３４Ａから灯具正面方向へ出射させることができる。そしてこれにより、第２レンズ領域１３４Ａにおいて第２光源２４から見たとき第１レンズ領域１３２Ａｓの陰になってしまう部分についても灯具正面視において光って見えるようにすることができ、これにより灯具点灯時の見映えを一層向上させることができる。
【００７２】
上記第１変形例においては、第１レンズ領域１３２Ａの帯状領域１３２Ａ３に関しては、２つのレンズ素子１３２Ａｓに対して素通し部１３２Ａｓ１がそれぞれ部分的に形成されているものとして説明したが、１つまたは３つ以上のレンズ素子１３２Ａｓに対して素通し部１３２Ａｓ１が部分的に形成された構成とすることも可能である。また、帯状領域１３２Ａ３以外の帯状領域に関しても、少なくとも１つのレンズ素子１３２Ａｓに素通し部１３２Ａｓ１が形成された構成とすることが可能である。
【００７３】
次に、上記実施形態の第２変形例について説明する。
【００７４】
図６は、本変形例に係る灯具２１０を示す正面図である。
【００７５】
同図に示すように、本変形例の基本的な構成は上記実施形態の場合と同様であるが、第１および第２透光板２３２、２３４における第１および第２レンズ領域２３２Ａ、２３４Ａの構成が上記実施形態の場合と一部異なっている。
【００７６】
すなわち、本変形例においても、第１レンズ領域２３２Ａは、灯具正面視において第１光源２２の光軸Ａｘ１を中心として放射状に延びる４つの帯状領域２３２Ａ１、２３２Ａ２、２３２Ａ３、２３２Ａ４を備えており、また、第２レンズ領域２３４Ａは、灯具正面視において第２光源２４の光軸Ａｘ２を中心として放射状に延びる４つの帯状領域２３４Ａ１、２３４Ａ２、２３４Ａ３、２３４Ａ４を備えている。
【００７７】
ただし、本変形例の第１レンズ領域２３２Ａは、帯状領域２３２Ａ１の両側縁の輪郭が全長にわたって明瞭に形成されており、帯状領域２３２Ａ２の両側縁の輪郭が光軸Ａｘ１の近傍において帯状領域２３２Ａ１によって分断されており、帯状領域２３２Ａ３の両側縁の輪郭が光軸Ａｘ１の近傍において帯状領域２３２Ａ１、２３２Ａ２によって分断されており、帯状領域２３２Ａ４の両側縁の輪郭が光軸Ａｘ１の近傍において帯状領域２３２Ａ１〜２３２Ａ３によって分断されている。
【００７８】
同様に、本変形例の第２レンズ領域２３４Ａは、帯状領域２３４Ａ１の両側縁の輪郭が全長にわたって明瞭に形成されており、帯状領域２３４Ａ２の両側縁の輪郭が光軸Ａｘ２の近傍において帯状領域２３４Ａ１によって分断されており、帯状領域２３４Ａ３の両側縁の輪郭が光軸Ａｘ２の近傍において帯状領域２３４Ａ１、２３４Ａ２によって分断されており、帯状領域２３４Ａ４の両側縁の輪郭が光軸Ａｘ２の近傍において帯状領域２３４Ａ１〜２３４Ａ３によって分断されている。
【００７９】
本変形例の構成を採用することにより、次のような作用効果を得ることができる。
【００８０】
すなわち、非点灯状態にある灯具１１０を観察したとき、第１透光板２３２は、その第１レンズ領域２３２Ａを構成する４つの帯状領域２３２Ａ１〜２３２Ａ４が、この順序で前方側から重なって配置されているように見え、また、第２透光板２３４は、その第２レンズ領域２３４Ａを構成する４つの帯状領域２３４Ａ１〜２３４Ａ４が、この順序で前方側から重なって配置されているように見える。
【００８１】
したがって本変形例によれば、灯具非点灯時、前後２重に配置された第１および第２透光板３２、２３４の第１および第２レンズ領域２３２Ａ、２３４Ａが部分的に重複していることによって、奥行き感のある意匠を演出することができるだけでなく、第１および第２透光板３２、２３４の各々に関しても奥行き感のある意匠を演出することができる。
【００８２】
次に、上記実施形態の第３変形例について説明する。
【００８３】
図７は、本変形例に係る灯具３１０を示す正面図である。
【００８４】
同図に示すように、本変形例の基本的な構成は上記実施形態の場合と同様であるが、第２透光板３３４の構成が上記実施形態の場合と一部異なっている。
【００８５】
すなわち、本変形例の第２透光板３３４の基本的な構成は上記実施形態の場合と同様であるが、その前面の一部に遮光膜３４０が形成されている点で上記実施形態の場合と異なっている。
【００８６】
この遮光膜３４０は、灯具正面視において第１透光板３２の第１レンズ領域３２Ａおよび第２透光板３３４の第２レンズ領域３３４Ａが位置する部分以外の領域に黒色塗装等を施すことによって形成されている。
【００８７】
本変形例の構成を採用することにより、灯具３１０を灯具正面方向から観察したとき第１および第２レンズ領域３２Ａ、３３４Ａのみが光って見えるようにすることができ、これにより灯具点灯時の見映えをより一層向上させることができる。
【００８８】
上記第３変形例においては、第１および第２レンズ領域３２Ａ、３３４Ａ以外の領域を覆う遮光部材として、第２透光板３３４の前面の一部に遮光膜３４０が形成されているものとして説明したが、上記実施形態の第２透光板３４の前方側に別の透光板が追加配置された構成とした上でその前面または後面に遮光膜が形成された構成とすることも可能である。
【００８９】
次に、上記実施形態の第４変形例について説明する。
【００９０】
図８は、本変形例に係る灯具４１０を示す正面図である。また、図９は、灯具４１０の主要構成要素を分解して示す正面図であって、同図（ａ）は第１透光板４３２、同図（ｂ）は第２透光板４３４、同図（ｃ）は第１および第２光源２２、２４を基板４２６に搭載された状態で示す図である。
【００９１】
これらの図に示すように、本変形例の基本的な構成は上記実施形態の場合と同様であるが、第１および第２光源２２、２４の個数および配置ならびに第１および第２透光板４３２、４３４の構成が上記実施形態の場合と異なっている。
【００９２】
すなわち本変形例においては、２つの第１光源２２が灯具正面視において灯室内の中心位置によりも下方側において車幅方向に間隔をおいて配置されており、２つの第２光源２４が灯具正面視において灯室内の中心位置によりも上方側において車幅方向に間隔をおいて配置されている。これら２組の第１および第２光源２２、２４は共通の基板４２６に搭載されている。
【００９３】
また本変形例においては、第１透光板４３２の後面における下側略３分の２程度の領域が第１レンズ領域４３２Ａとして構成されており、第２透光板４３４の後面における上側略３分の２程度の領域が第２レンズ領域４３４Ａとして構成されている。その際、第１レンズ領域４３２Ａの上端縁は、左右１対の第２光源２４の光軸Ａｘ２よりも下方側に位置しており、第２レンズ領域４３４Ａの下端縁は、左右１対の第１光源２２の光軸Ａｘ１よりも上方側に位置している。
【００９４】
第１レンズ領域４３２Ａは、左右１対の第１光源２２の各々からの光を灯具正面方向へ向けて偏向出射させるための複数のレンズ素子４３２Ａｓが、各第１光源２２の光軸Ａｘ１を中心として同心円状に延びるフレネルレンズとして左右２箇所に形成された構成となっている。
【００９５】
第２レンズ領域４３４Ａは、左右１対の第２光源２４の各々からの光を灯具正面方向へ向けて偏向出射させるための複数のレンズ素子４３４Ａｓが、各第２光源２４の光軸Ａｘ２を中心として同心円状に延びるフレネルレンズとして左右２箇所に形成された構成となっている。
【００９６】
図１０は、灯具４１０を点灯状態で示す正面図である。
【００９７】
同図に示すように、灯具４１０を灯具正面方向から観察したとき、各第１光源２２の点灯により第１透光板４３２の第１レンズ領域４３２Ａが光って見え、また、各第２光源２４の点灯により第２透光板４３４の第２レンズ領域４３４Ａが光って見える。その際、第１および第２レンズ領域４３２Ａ、４３４Ａは、重複していない部分が前後方向に離れた位置においてそれぞれ明るく光って見え、また、重複している部分が２重に光って見える。
【００９８】
第１レンズ領域４３２Ａは、複数のレンズ素子４３２Ａｓが各第１光源２２の光軸Ａｘ１を中心として同心円状に延びるように形成されているので、第１レンズ領域４３２Ａは略均一な明るさで光って見える。また、第２レンズ領域４３４Ａも、複数のレンズ素子４３４Ａｓが各第２光源２４の光軸Ａｘ２を中心として同心円状に延びるように形成されているので、第２レンズ領域４３４Ａは略均一な明るさで光って見える。
【００９９】
次に本変形例の作用効果について説明する。
【０１００】
灯具４１０を灯具正面方向から観察したとき、各第１光源２２の点灯により第１透光板４３２の第１レンズ領域４３２Ａが光って見えるようにすることができるとともに、第２光源２４の点灯により第２透光板４３４の第２レンズ領域４３４Ａが光って見えるようにすることができる。その際、第１および第２レンズ領域４３２Ａ、４３４Ａは、重複していない部分が前後方向に離れた位置においてそれぞれ明るく光って見えるとともに重複している部分が２重に光って見えるので、灯具点灯時に奥行き感のある意匠を演出することができる。
【０１０１】
このように本変形例においても、灯具点灯時に奥行き感のある意匠を演出することができる。また本変形例においても、第１および第２レンズ領域４３２Ａ、４３４Ａが部分的に重複している構成とすることにより、灯具非点灯時においても奥行き感のある意匠を演出することができる。
【０１０２】
しかも本変形例においては、灯具４１０を灯具正面方向から観察した場合のみならず、灯具前方の斜め上方から観察した場合においても、各第１光源２２および各第２光源２４が直接見えてしまわないようにすることができ、これにより灯具点灯時および灯具非点灯時の見映えをより一層向上させることができる。
【０１０３】
上記第４変形例においても、第１透光板４３２の第１レンズ領域４３２Ａを構成する複数のレンズ素子４３２Ａｓのうち第２レンズ領域４３２Ａへ向かう第２光源２４からの光の光路上に位置する少なくとも１つのレンズ素子４３２Ａｓに、該レンズ素子４３２Ａｓに到達した第２光源２４からの光を偏向させることなく透過させる素通し部が形成された構成とすることも可能である。
【０１０４】
なお、上記実施形態およびその変形例において諸元として示した数値は一例にすぎず、これらを適宜異なる値に設定してもよいことはもちろんである。
【０１０５】
また、本願発明は、上記実施形態およびその変形例に記載された構成に限定されるものではなく、これ以外の種々の変更を加えた構成が採用可能である。
【符号の説明】
【０１０６】
１０、２１０、３１０、４１０  灯具
１２  ランプボディ
１４  透光カバー
１６  スペーサ
１８  フレーム部材
２２  第１光源
２４  第２光源
２６、４２６  基板
３２、１３２、２３２、４３２  第１透光板
３２Ａ、１３２Ａ、２３２Ａ、４３２Ａ  第１レンズ領域
３２Ａ１、３２Ａ２、３２Ａ３、３２Ａ４、３４Ａ１、３４Ａ２、３４Ａ３、３４Ａ４、１３２Ａ３、１３４Ａ３、２３２Ａ１、２３２Ａ２、２３２Ａ３、２３２Ａ４、２３４Ａ１、２３４Ａ２、２３４Ａ３、２３４Ａ４  帯状領域
３２Ａｓ、３４Ａｓ、１３２Ａｓ、１３４Ａｓ、２３２Ａｓ、２３４Ａｓ、４３２Ａｓ、４３４Ａｓ  レンズ素子
３４、１３４、２３４、３３４、４３４  第２透光板
３４Ａ、１３４Ａ、２３４Ａ、３３４Ａ、４３４Ａ  第２レンズ領域
１３２Ａｓ１  素通し部
３４０  遮光膜
Ａｘ１、Ａｘ２  光軸
【図１】
2019016485.tif 000003
【図２】
2019016485.tif 000004
【図３】
2019016485.tif 000005
【図４】
2019016485.tif 000006
【図５】
2019016485.tif 000007
【図６】
2019016485.tif 000008
【図７】
2019016485.tif 000009
【図８】
2019016485.tif 000010
【図９】
2019016485.tif 000011
【図１０】
2019016485.tif 000012